(57)【要約】      （修正有）【課題】養殖海苔網の耳網に使用するフックが養殖中に波によって別の紐や網に引っ掛かり、網の破れを引き起こすことのない養殖海苔網用フックを提供する。【解決手段】養殖海苔網の耳網１０と固定用ロープ１１を連結するためのフックＦであって、ロープを連結するための貫通した穴を有する連結部と、連結部から長手方向に伸びたフック本体部と、フック本体の伸びた先から連結部方向へＵ字に湾曲することで、耳網を係止するための溝と、溝への耳網を挿入する挿入口を形成するフック先端部を有し、溝に耳網を挿入した後に、フック先端部とフック本体部を表裏から挟み込むように取り付けて挿入口を塞ぐ蓋部を有する。耳網の挿入口から海苔網の網紐が係止部へ挿入し引っ掛かることを防止できる。【選択図】図３
0003200259.tif 000002
【実用新案登録請求の範囲】
【請求項１】
養殖海苔網の耳網と固定用ロープ（以下、ロープ）を連結するためのフックであって、
ロープを連結するための貫通した穴を有する連結部と、
同連結部から長手方向に伸びたフック本体部と、
同フック本体の伸びた先から連結部方向へＵ字に湾曲することで、耳網を係止するための溝と、同溝への耳網を挿入する挿入口を形成するフック先端部を有し、
同溝に耳網を挿入した後に、同フック先端部とフック本体部を表裏から挟み込むように取り付けることで、同挿入口を塞ぐための蓋部を有する
ことを特徴とする養殖海苔網用フック。
【請求項２】
前記フック本体部及び前記フック先端部は、その表裏面に前記蓋部が挟み込む際の長さと幅及び厚さに相当する分を削ることで同蓋部の取り付けを容易に行うためのガイド部を有することを特徴とする請求項１の養殖海苔網用フック
【請求項３】
前記蓋部は、挟み込む内側面の先端部に凸部又は凹部を有し、
前記フック本体部の表裏面に凹部又は凸部を有し、
前記蓋部が表裏から挟み込んだ際に、お互いの凸部または凹部が噛み合うことで同蓋部を外れ難くする
ことを特徴とする請求項１または請求項２の養殖海苔網用フック
【請求項４】
前記蓋部は、前記フック先端部側の幅は前記ガイド部と同等であり、且つ、前記フック本体側の幅は前記ガイド部より狭い形状である
ことを特徴とする請求項１〜３のいずれかに記載の養殖海苔網用フック。
【考案の詳細な説明】
【技術分野】
【０００１】  本考案は、海苔養殖時に海苔網と海苔網を固定するためのロープ間に使用される連結用フックに関する。
【背景技術】
【０００２】  海苔養殖時に海苔網を漁場へ固定する為に、周囲にブイまたは棒木設置する。それらから直接的または間接的に引き出したロープに耳網との脱着が容易なフックをつけて海苔網が四方向へ広がるように使用されてきた。
このようなフックに関する従来技術として特許文献１〜４が提案されている。特許文献１は、耳網の太さのばらつきがあっても外れにくいフックが記載されている。特許文献２及び３は、海苔網を固定する際の作業効率を上げるための技術が記載されている。特許文献４は、弾性材料を用いており、耳網を係止するために切り込みを指で押し開いて装着するため、外れにくく海苔網の網紐に引っ掛かりにくい技術が記載されている。
【先行技術文献】
【特許文献】
【０００３】
【特許文献１】特開昭６１−７４９３３
【特許文献２】特開平７−３２７５３３
【特許文献３】特開２００１−１４８９５２
【特許文献４】実登３０２８２８９
【考案の概要】
【考案が解決しようとする課題】
【０００４】  特許文献１〜３に記載の従来技術のフックは、耳穴を通す入り口形状が開いた状態である。また、特許文献４に記載の従来技術のフックは、耳穴を通す入り口形状はしまった状態であるが、弾性材料を用いているため耳網が引っ張られると切り込み部が開いてしまうことは容易に考えることができる。
このような従来技術のフックでは、海苔網の設置後に海が荒れた場合等に、当該海苔網の網紐が引っ掛かる事態や、別の海苔網の耳網や網紐が引っ掛かる事態が発生してしまう。海苔網を構成する網紐は耳網に比べて細い構造であるため、フックに引っ掛かった状態では時間とともに負荷が高くなり切れる事が多い。またそれが一度ではなく繰り返し発生する事となると、網全体が大きく損なわれてしまう事になる。
【課題を解決するための手段】
【０００５】  本考案の請求項１に記載の養殖海苔網用フックは、養殖海苔網の耳網と固定用ロープを連結するためのフックであって、ロープを連結するための貫通した穴を有する連結部と、同連結部から長手方向に伸びたフック本体部と、同フック本体の伸びた先から連結部方向へＵ字に湾曲することで耳網を係止するための係止部と同係止部への耳網を挿入する挿入口を形成するフック先端部を有し、同係止部に耳網を挿入した後に、同フック先端部とフック本体部を表裏から挟み込むように取り付けることで、同挿入口を塞ぐための蓋部を有することにより、耳網の挿入口から海苔網の網紐が係止部へ挿入し引っ掛かることを防止することができる。
本考案の請求項２に記載の養殖海苔網用フックは、前記フック本体部及び前記フック先端部は、その表裏面に前記蓋部が挟み込む際の長さと幅及び厚さに相当する分を削ることで同蓋部の取り付けを容易に行うためのガイド部を有している。
本考案の請求項３に記載の養殖海苔網用フックは、前記蓋部は、挟み込む内側面の先端部に凸部又は凹部を有し、前記フック本体部の表裏面に凹部又は凸部を有し、前記蓋部が表裏から挟み込んだ際に、お互いの凸部または凹部が噛み合うことで同蓋部を外れ難くすることができる。
本考案の請求項４に記載の養殖用海苔網フックは、前記蓋部は、前記フック先端部側の幅は前記ガイド部と同等であり、且つ、前記フック本体側の幅は前記ガイド部より狭い形状であることにより、耳網を当該フックから容易に取り外すことができる。
【考案の効果】
【０００６】  上述のように、本考案の養殖海苔網用フックは、海苔の養殖中に波によって網がフックに引っ掛かり損傷することがなくなることにより、網の修理コストの低減を図ることが可能になり、海苔の収穫量向上につながる。
【図面の簡単な説明】
【０００７】
【図１】本考案の養殖海苔網用フックと蓋部を取り外した状態を示す正面図
【図２】本考案の養殖海苔網用フックの蓋部を装着した状態示す正面図
【図３】本考案の養殖海苔網用フックの使用状態を示す図
【図４】本考案の養殖海苔網用フックから蓋部を取り外す状態を示す図
【図５】養殖全体図
【考案を実施するための形態】
【０００８】  本考案の実施の形態について図面を参照しながら説明する。
【実施例】
【０００９】  図１及び２に、本考案の養殖海苔網用フックの一例を示す。図１は、本考案の養殖海苔網用フックと蓋部を取り外した状態を示す正面図である。また、図２は、本考案の養殖海苔網用フックの蓋部を装着した状態示す正面図である。
養殖海苔網用フックＦは、固定用ロープ１１（図３参照）を連結するための貫通した穴９を有する連結部２と、同連結部から長手方向に伸びたフック本体部３と、同フック本体の伸びた先から連結部方向へＵ字に湾曲することで、耳網１０（図３参照）を係止するための係止部８と係止部８への耳網１０を挿入する挿入口５を形成するフック先端部４を備えている。
また、本フックＦは、係止部８に耳網１０を挿入した後に、同フック先端部４とフック本体部３を表裏から挟み込むように取り付けることで、挿入口５を塞ぐための蓋部１を別途に備えている。
フックＦは、図２に示すように挿入口５を覆うように蓋部１を取り付けることで、海苔網の網紐１２（図３参照）が係止部８へ挿入し引っ掛かることを防止することができる。
また、本フックＦは、蓋部１を容易に取り付けるためのガイド部７を備え、更に蓋部１を取り付けた際に外れ難くするための凹部６を備える。この時、ガイド部７は、蓋部１を取り付ける幅と長さと厚さに相当する部分を削った形状をしており、更に蓋部１の内側には、この凹部６に噛み合うための凸部（図示せず）を有している。
図３には、本フックＦを使用している状態を示しており、固定用ロープ１１を穴２に通して固定し、耳網１０を係止部８に係止することで養殖用海苔網を固定している状態を示している。この時、蓋部１にて挿入口５が塞がれていることで網紐１２が引っ掛かることを防止している。
また、蓋部１の形状は、フック先端部４の挿入口５側の幅ａはガイド部７と同等の幅であるが、フック本体部３側の幅ｂはガイド部７よりも狭い形状である。こうすることで、図４に示すように、本フックＦの使用終了後に耳網１１を外す際に、耳網１１を挿入口側へ引っ張るだけで蓋部１を容易に取り外すことができる。これは、蓋部１の幅ｂがガイド部７よりも幅が狭いため、ガイド部７内で容易にずれることで、蓋部１の凸部とフック本体部３の凹部６が容易に外すことができるからである。
図５に、本考案の海苔養殖用網フックＦを用いて、海底に立設した支柱１３に取り付けた係止金具１４からの固定用ロープ１１と海苔網の耳網１０を係止部８に繋いだ状態を示す。
【符号の説明】
【０００１０】Ｆ    海苔養殖網用フック
１    蓋部
２    連結部
３    フック本体部
４    フック先端部
５    挿入口
６    蓋部とフック本体部を噛み合わせて固定するための凹部
７    ガイド部
８    係止部
９    穴
１０  耳網
１１  ロープ
１２  海苔網の網紐
【図１】
0003200259.tif 000003
【図２】
0003200259.tif 000004
【図３】
0003200259.tif 000005
【図４】
0003200259.tif 000006
【図５】
0003200259.tif 000007